Podtech/llm-jp-corpus-v4-ja_patent huggingface dataset:
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
電気−機械エネルギ変換により振動を発生する振動子と、前記振動子に加圧状態に接触され前記振動子に発生した振動により前記振動子に対して相対的に移動される被駆動体とを備える振動波駆動装置であって、
前記被駆動体は、基部と、前記振動子と前記被駆動体の前記基部との間に介在して前記振動子と前記被駆動体との接触部として機能する摩擦部材とを備え、
前記被駆動体における前記基部と前記摩擦部材との間を弾性構造としたことを特徴とする振動波駆動装置。
【請求項２】
前記被駆動体は、更に、前記被駆動体における前記基部と前記摩擦部材との間に接着により挟持され厚さ方向に貫通する複数の穴部を有する弾性部材を備え、
前記弾性構造は、前記弾性部材を含む構造であることを特徴とする請求項１記載の振動波駆動装置。
【請求項３】
前記被駆動体は、更に、前記被駆動体における前記基部と前記摩擦部材との間に接着により挟持される弾性部材を備え、
前記摩擦部材は、前記弾性部材に接着される面に且つ前記摩擦部材の厚さ方向に形成された複数の凹部を有し、
前記弾性構造は、前記弾性部材と前記摩擦部材の前記複数の凹部とを含む構造であることを特徴とする請求項１記載の振動波駆動装置。
【請求項４】
前記被駆動体は、更に、前記被駆動体における前記基部と前記摩擦部材との間に接着により挟持される弾性部材を備え、
前記摩擦部材は、前記弾性部材に接着される面に形成された複数の突起部を有し、
前記弾性構造は、前記弾性部材と前記摩擦部材の前記複数の突起部とを含む構造であることを特徴とする請求項１記載の振動波駆動装置。
【請求項５】
前記被駆動体の前記基部は、前記摩擦部材に接着される面に且つ前記基部の厚さ方向に形成された複数の凹部を有し、
前記弾性構造は、前記被駆動体の前記基部が有する前記複数の凹部を含む構造であることを特徴とする請求項１記載の振動波駆動装置。
【請求項６】
電気−機械エネルギ変換により振動を発生する振動子と、前記振動子に加圧状態に接触され前記振動子に発生した振動により前記振動子に対して相対的に移動される被駆動体とを備える振動波駆動装置であって、
前記振動子は、前記振動子と前記被駆動体との間に介在して前記振動子と前記被駆動体との接触部として機能する摩擦部材を備え、
前記振動子と前記摩擦部材との間を弾性構造としたことを特徴とする振動波駆動装置。
【請求項７】
前記振動子は、更に、前記振動子と前記摩擦部材との間に接着により挟持され厚さ方向に貫通する複数の穴部を有する弾性部材を備え、
前記弾性構造は、前記弾性部材を含む構造であることを特徴とする請求項６記載の振動波駆動装置。
【請求項８】
前記被駆動体における前記基部、前記弾性部材、前記摩擦部材の接着は、可撓性を有する接着剤を用いることを特徴とする請求項１乃至５のいずれか１項に記載の振動波駆動装置。
【請求項９】
前記振動子における前記弾性部材、前記摩擦部材の接着は、可撓性を有する接着剤を用いることを特徴とする請求項６又は７記載の振動波駆動装置。
【請求項１０】
前記振動波駆動装置は、リニア型振動波駆動装置、回転型振動波駆動装置に適用可能であることを特徴とする請求項１乃至９のいずれか１項に記載の振動波駆動装置。
【手続補正２】
【補正対象書類名】明細書
【補正対象項目名】００１１
【補正方法】変更
【補正の内容】
【００１１】
上述の目的を達成するために、本発明の振動波駆動装置は、電気−機械エネルギ変換により振動を発生する振動子と、前記振動子に加圧状態に接触され前記振動子に発生した振動により前記振動子に対して相対的に移動される被駆動体とを備える振動波駆動装置であって、前記被駆動体は、基部と、前記振動子と前記被駆動体の前記基部との間に介在して前記振動子と前記被駆動体との接触部として機能する摩擦部材とを備え、前記被駆動体における前記基部と前記摩擦部材との間を弾性構造としたことを特徴とする。
【手続補正３】
【補正対象書類名】明細書
【補正対象項目名】００１２
【補正方法】変更
【補正の内容】
【００１２】
また、上述の目的を達成するために、本発明の振動波駆動装置は、電気−機械エネルギ変換により振動を発生する振動子と、前記振動子に加圧状態に接触され前記振動子に発生した振動により前記振動子に対して相対的に移動される被駆動体とを備える振動波駆動装置であって、前記振動子は、前記振動子と前記被駆動体との間に介在して前記振動子と前記被駆動体との接触部として機能する摩擦部材を備え、前記振動子と前記摩擦部材との間を弾性構造としたことを特徴とする。
【手続補正書】
【提出日】平成22年5月6日(2010.5.6)
【手続補正１】
【補正対象書類名】明細書
【補正対象項目名】００４９
【補正方法】変更
【補正の内容】
【００４９】
一方、携帯電話端末２の端末端部３が上記端末装填部４０から取り出される時には、図１７に示すように、当該携帯電話端末２の側面部により上記筐体側面当接部６２ａ，６２ｂが端末装填部４０内で両側に押される方向に加わっていた力が解除されることになり、それに伴って、上記バネ端係止部６３ａ，６３ｂに両バネ端部が係止されているコイルバネ６８のバネ縮力により、上記端末装填部４０内で両筐体側面当接部６２ａ，６２ｂ間の距離が最も近い状態に戻ることになる。
【手続補正２】
【補正対象書類名】明細書
【補正対象項目名】００６５
【補正方法】変更
【補正の内容】
【００６５】
【図１】本実施形態のクレードルに携帯電話端末が装着される前の状態で且つ携帯電話端末を正面側から見た図である。
【図２】本実施形態のクレードルに携帯電話端末が装着される前の状態で且つ携帯電話端末を背面側から見た図である。
【図３】本実施形態のクレードルに携帯電話端末が装着されつつある状態で且つ携帯電話端末を正面側から見た図である。
【図４】本実施形態のクレードルに携帯電話端末が装着された状態で且つ携帯電話端末を正面側から見た図である。
【図５】本実施形態のクレードルに携帯電話端末が装着される前の状態で且つ携帯電話端末を背面側から見た時の、一次，二次コイルと端末側位置決め部及びクレードル側位置決め部の位置関係を示す図である。
【図６】本実施形態のクレードルに携帯電話端末が装着される前の状態で且つ携帯電話端末を側面側から見た図である。
【図７】本実施形態のクレードルに携帯電話端末が装着された状態で且つ携帯電話端末を背面側から見た図である。
【図８】本実施形態のクレードルに携帯電話端末が装着された状態で且つ携帯電話端末を側面側から見た図である。
【図９】本実施形態のクレードルに携帯電話端末が装着された状態を上側（端末装填部の開口部側）から見た図である。
【図１０】幅方向押さえ部の拡大図である。
【図１１】筐体側面当接部が或る程度広面積を有している幅方向押さえ部の拡大図である。
【図１２】筐体側面当接部が或る程度広面積を有し、且つその先端に保護部材を設けた幅方向押さえ部の拡大図である。
【図１３】本実施形態の携帯電話端末を裏面側から見た図である。
【図１４】二次コイルの中心位置に端末側位置決め部が設けられた本実施形態の携帯電話端末を裏面側から見た図である。
【図１５】端末側位置決め部を備えない本実施形態の携帯電話端末を裏面側から見た図である。
【図１６】端末側位置決め部を備えない携帯電話端末とクレードル側位置決め部を備えないクレードルにおいて、一次コイル、二次コイルの位置合わせを行う例の説明に用いる図である。
【図１７】幅方向押さえ部をスライドさせて携帯電話端末の幅方向を決める構成例であり、クレードルに携帯電話端末が装着されつつある状態で且つ携帯電話端末を正面側から見た図である。
【図１８】幅方向押さえ部をスライドさせて携帯電話端末の幅方向を決める構成例であり、クレードルに携帯電話端末が装着された状態で且つ携帯電話端末を正面側から見た図である。
【図１９】円筒状の端末装填部を備えたクレードルの構成例であり、クレードルに携帯電話端末が装着された状態を上側（端末装填部の開口部側）から見た図である。
【図２０】円筒状の端末装填部を備えたクレードルの構成例であり、円筒状の端末装填部とクレードル本体とが相対的に回転可能に構成された例を示す図である。
【図２１】図２０の構成例において、円筒状の端末装填部とクレードル本体とが相対的に回転する状態の説明に用いる図である。
【手続補正３】
【補正対象書類名】図面
【補正対象項目名】図１７
【補正方法】変更
【補正の内容】
【図１７】
2008295273.tif 000001
【手続補正４】
【補正対象書類名】図面
【補正対象項目名】図１８
【補正方法】変更
【補正の内容】
【図１８】
2008295273.tif 000002
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
被加工面の研削、研磨、表面処理、洗浄、ばり取り等の加工をする為の加工用ブラシにおいて、前記加工用ブラシは、台座、チャンネルブラシ、及び前記チャンネルブラシを前記台座に固定する為の固定手段を有し、前記チャンネルブラシは、ブラシ片が帯状体のみ或いは芯線及び帯状体にて挟み付けられて形成されてあると共に、渦巻き状に形成されてあり、前記台座にたいして前記固定手段にて取り付けられてあることを特徴とする加工用ブラシ。
【請求項２】
チャンネルブラシ間に渦巻き状の連続通路を有するように前記チャンネルブラシが台座にたいして固定手段にて取り付けられてあることを特徴とする請求項１に記載の加工用ブラシ。
【請求項３】
チャンネルブラシの両端部のみが台座にたいして固定手段にて取り付けられてあることを特徴とする請求項１又は２に記載の加工用ブラシ。
【請求項４】
渦巻き状に形成されたチャンネルブラシの外周部の略１周分のみが台座にたいして固定手段にて取り付けられてあることを特徴とする請求項１〜３のいずれか１項に記載の加工用ブラシ。
【請求項５】
渦巻き状に形成されたチャンネルブラシを構成するブラシ片の先端部が、前記渦巻き状の内周部になる程、台座にたいして螺旋状に高くなるように、突出して形成されてあることを特徴とする請求項１〜４のいずれか１項に記載の加工用ブラシ。
【手続補正２】
【補正対象書類名】明細書
【補正対象項目名】００１０
【補正方法】変更
【補正の内容】
【００１０】
請求項５の発明は、請求項１〜４のいずれかの発明において、渦巻き状に形成されたチャンネルブラシを構成するブラシ片の先端部が、前記渦巻き状の内周部になる程、台座にたいして螺旋状に高くなるように、突出して形成されてあることに特徴を有する。
【手続補正３】
【補正対象書類名】明細書
【補正対象項目名】００１５
【補正方法】変更
【補正の内容】
【００１５】
請求項５の発明においては、渦巻き状に形成されたチャンネルブラシを構成するブラシ片の先端部が、前記渦巻き状の内周部になる程、台座にたいして螺旋状に高くなるように、突出して形成されてあるので、被加工面に段差や凹凸があった場合でも加工残りをする事無く、均一に加工することができ、高い研削力を確保することができる。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込む発射装置と、
前記発射装置による遊技球の打ち込みを指示する操作手段と、
前記遊技領域に設けられ、遊技球が入球可能な始動口と、
装飾図柄の変動表示を含む演出表示が行われる演出表示装置と、
前記変動表示のパターンである複数の変動パターンを記憶する変動情報記憶手段と、
前記遊技領域に設けられ、遊技球を受け入れ困難な閉状態と当該閉状態よりも遊技球を受け入れ容易な開状態とに変化可能な特別入賞口と、
少なくとも前方から視認可能な役物演出空間と、
温度によって色変化を生じる特殊材料で少なくとも表面の一部が形成され、前記役物演出空間内で自在に移動可能な飛行部材と、
前記役物演出空間において前記飛行部材を飛行状態とする空気の流れを作り出す送風手段と、
前記送風手段からの空気の加熱及び冷却の少なくとも一方が可能な吸放熱手段と、
前記始動口への遊技球の入球があったか否かの判断を行う始動判断手段、
前記始動判断手段により遊技球の入球が判断されることに基づき、内部的な抽選を行う抽選手段、及び
前記抽選手段による抽選に当選すると、前記特別入賞口を開閉動作させ特別遊技を実行する特別遊技実行手段、
を少なくとも有する主制御手段と、
前記主制御手段に電気的に接続され、
前記抽選手段による抽選結果に応じ、前記変動情報記憶手段から読み出される変動パターンに基づく演出表示を、前記演出表示装置を介して行う演出表示制御手段、及び、
前記送風手段を制御することによって前記飛行部材を遠隔コントロール可能であると共に、前記吸放熱手段にて前記空気の温度を制御し、前記飛行部材の表面に色変化を生じさせることが可能な送風制御手段、
を少なくとも有する副制御手段と
を備えることを特徴とする遊技機。
【請求項２】
前記送風手段は、少なくとも、
空気の流れを作り出すファン部と、
前記ファン部からの空気を前記役物演出空間へ導き、当該役物演出空間内の上昇気流を作り出す略筒状の風導部とを有し、
前記送風制御手段は、前記風導部にて作り出される上昇気流により前記飛行部材を遠隔コントロールする
請求項１に記載の遊技機。
【請求項３】
前記役物演出空間において前記上昇気流の発生位置を移動させるために、当該発生位置に対応する複数の流路を有する風導部の当該流路に合わせて前記ファン部を移動させる移動手段をさらに備え、
前記送風制御手段は、
前記移動手段を介し前記上昇気流の発生位置を制御することで、前記役物演出空間における前記飛行部材を水平方向に遠隔コントロール可能である
請求項２に記載の遊技機。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠の背面に着脱可能に取り付けられ、前記本体枠とで収容空間を形成するカバー部材と、
前記収容空間に収容され、主として遊技領域が形成される遊技板部を有する遊技盤と、
前記遊技領域に向けて遊技球を打ち込む発射装置と、
前記発射装置による遊技球の打ち込みを指示する操作手段と、
前記遊技領域に設けられ、遊技球が入球可能な始動口と、
前記始動口の近傍に設けられ、開放制御されることにより前記始動口への遊技球の入球を促進する可動部材と、
前記遊技板部の背面側に設けられ、前記可動部材を開閉する可動部材駆動手段と、
前記遊技領域に設けられ、遊技球を受け入れ困難な閉状態と当該閉状態よりも遊技球を受け入れ容易な開状態とに変化可能な特別入賞口と、
前記遊技板部の背面側に設けられ、前記特別入賞口を開閉する特別入賞口駆動手段と、
前記遊技盤の背面側に設けられ、装飾図柄の変動表示を含む演出表示が行われる演出表示装置と、
少なくとも前方から視認可能な役物演出空間を形成し、外部から空気が流入可能な流入部及び外部へ空気を排出可能な排出部を有する役物演出空間部と、
前記役物演出空間内で自在に移動可能な飛行部材と、
前記役物演出空間において前記飛行部材を飛行状態とするよう前記流入部から空気を流入させることが可能な送風手段と、
前記役物演出空間部の前記排出部から排出される空気を前記遊技盤の背面側へ回り込ませる風方向規制部と、
前記始動口への遊技球の入球があったか否かの判断を行う始動判断手段、
前記始動判断手段により遊技球の入球が判断されることに基づき、内部的な抽選を行う抽選手段、及び
前記抽選手段による抽選に当選すると、前記特別入賞口駆動手段により前記特別入賞口を開閉動作させ、特別遊技を実行する特別遊技実行手段、
を少なくとも有する主制御手段と、
前記主制御手段に配線接続され、
前記抽選手段による抽選結果に応じた演出表示を、前記演出表示装置を介して行う演出表示制御手段、及び
前記送風手段を制御して前記飛行部材を遠隔コントロールする送風制御手段、
を少なくとも有する副制御手段と、
前記主制御手段を収容した状態で前記遊技盤の背面側に取り付けられる主制御ボックス、及び、前記副制御手段を収容した状態で前記遊技盤の背面側に取り付けられる副制御ボックスを少なくとも有する制御ユニットと
を備えることを特徴とする遊技機。
【請求項２】
前記送風手段は、少なくとも、
空気の流れを作り出すファン部と、
前記ファン部からの空気を前記役物演出空間へ導き、当該役物演出空間内の上昇気流を作り出す略筒状の風導部とを有している
請求項１に記載の遊技機。
【請求項３】
前記役物演出空間部は、
前記飛行部材が通過不可能なメッシュ状の底面である下板通気部を前記流入部として構成されていること
請求項２に記載の遊技機。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込む発射装置と、
前記発射装置による遊技球の打ち込みを指示する操作手段と、
前記遊技領域に設けられ、遊技球が入球可能な始動口と、
装飾図柄の変動表示を含む演出表示が行われる演出表示装置と、
前記変動表示のパターンである複数の変動パターンを記憶する変動情報記憶手段と、
前記遊技領域に設けられ、遊技球を受け入れ困難な閉状態と当該閉状態よりも遊技球を受け入れ容易な開状態とに変化可能な特別入賞口と、
少なくとも前方から視認可能な現出領域及び少なくとも前方から視認困難な掩蔽領域からなり、複数の通気孔が形成された底面である下板通気部を有する役物演出空間と、
前記役物演出空間内で自在に移動可能な飛行部材と、
前記飛行部材を飛行状態とする、前記下板通気部の通気孔からの空気の流れを作り出すことが可能な送風手段と、
前記始動口への遊技球の入球があったか否かの判断を行う始動判断手段、
前記始動判断手段により遊技球の入球が判断されることに基づき、内部的な抽選を行う抽選手段、及び
前記抽選手段による抽選に当選すると、前記特別入賞口を開閉動作させ特別遊技を実行する特別遊技実行手段、
を少なくとも有する主制御手段と、
前記主制御手段に配線接続され、
前記抽選手段による抽選結果に応じ、前記変動情報記憶手段から読み出される変動パターンに基づく演出表示を、前記演出表示装置を介して行う演出表示制御手段、及び
前記送風手段を制御する送風制御手段、
を少なくとも有する副制御手段と
を備え、
前記送風制御手段は、
前記送風手段により前記飛行部材を前記役物演出空間内において遠隔コントロール可能であると共に、前記送風手段により前記飛行部材を前記役物演出空間の前記下板通気部に吸着させ前記掩蔽領域に保持可能である
ことを特徴とする遊技機。
【請求項２】
前記送風手段は、少なくとも、
空気の流れを作り出すファン部と、
前記ファン部からの空気を前記役物演出空間へ導き、当該役物演出空間内の上昇気流を作り出す略筒状の風導部とを有し、
前記送風制御手段は、前記風導部にて作り出される上昇気流により前記飛行部材を遠隔コントロールする
請求項１に記載の遊技機。
【請求項３】
前記役物演出空間において前記上昇気流の発生位置を移動させるために、当該発生位置に対応する複数の流路を有する風導部の当該流路に合わせて前記ファン部を移動させる移動手段を備え、
前記送風制御手段は、
前記移動手段を介し前記上昇気流の発生位置を制御することで、前記役物演出空間における前記飛行部材を水平方向に遠隔コントロール可能である
請求項２に記載の遊技機。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技領域に向けて遊技球を打ち込む発射装置と、
前記発射装置による遊技球の打ち込みを指示する操作手段と、
前記遊技領域に設けられ、遊技球が入球可能な始動口と、
装飾図柄の変動表示を含む演出表示が行われる演出表示装置と、
前記変動表示のパターンである複数の変動パターンを記憶する変動情報記憶手段と、
前記遊技領域に設けられ、遊技球を受け入れ困難な閉状態と当該閉状態よりも遊技球を受け入れ容易な開状態とに変化可能な特別入賞口と、
少なくとも前方から視認可能な役物演出空間と、
前記役物演出空間内で自在に移動可能な飛行部材と、
前記役物演出空間において前記飛行部材を飛行状態とする空気の流れを作り出す送風手段と、
前記送風手段からの空気を冷却することが可能な吸放熱手段と、
前記始動口への遊技球の入球があったか否かの判断を行う始動判断手段、
前記始動判断手段により遊技球の入球が判断されることに基づき、内部的な抽選を行う抽選手段、及び
前記抽選手段による抽選に当選すると、前記特別入賞口を開閉動作させ特別遊技を実行する特別遊技実行手段、
を少なくとも有する主制御手段と、
前記主制御手段に配線接続され、
前記抽選手段による抽選結果に応じ、前記変動情報記憶手段から読み出される変動パターンに基づく演出表示を、前記演出表示装置を介して行う演出表示制御手段、及び
前記送風手段を制御することによって前記飛行部材を遠隔コントロール可能であると共に、前記吸放熱手段にて前記送風手段からの空気を冷却し、前記飛行部材を冷却可能な送風制御手段、
を少なくとも有する副制御手段と
を備えることを特徴とする遊技機。
【請求項２】
前記送風手段は、少なくとも、
空気の流れを作り出すファン部と、
前記ファン部からの空気を前記役物演出空間へ導き、当該役物演出空間内の上昇気流を作り出す略筒状の風導部とを有し、
前記送風制御手段は、前記風導部にて作り出される上昇気流により前記飛行部材を遠隔コントロールする
請求項１に記載の遊技機。
【請求項３】
前記役物演出空間において前記上昇気流の発生位置を移動させるために、当該発生位置に対応する複数の流路を有する風導部の当該流路に合わせて前記ファン部を移動させる移動手段を備え、
前記送風制御手段は、
前記移動手段を介し前記上昇気流の発生位置を制御することで、前記役物演出空間における前記飛行部材を水平方向に遠隔コントロール可能である
請求項２に記載の遊技機。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
略棒状の回転部材と、前記回転部材の外周に設けられた清掃部材とを備え、該清掃部材を、基材と、該基材に植毛された複数の繊維束からなるカットパイルで構成し、前記基材の前記繊維束間を連続して露出させると共に、少なくとも前記カットパイルに撥水加工を施した回転清掃体。
【請求項２】
略帯状の清掃部材を回転部材の外周に螺旋状に巻き付けた請求項１に記載の回転清掃体。
【請求項３】
清掃部材のカットパイル毛を一方向に傾斜させた請求項１又は２に記載の回転清掃体。
【請求項４】
基材の繊維束間の露出方向とカットパイル毛の傾斜方向とを平行にした請求項３に記載の回転清掃体。
【請求項５】
請求項１〜４のいずれか１項に記載の回転清掃体を備えた電気掃除機用吸込具。
【請求項６】
電動送風機を内蔵した掃除機本体と、請求項５に記載の電気掃除機用吸込具とを備えた電気掃除機。
【請求項７】
本体内に流入する空気中の塵埃を捕獲するエアーフイルターと、請求項１〜４のいずれか１項に記載の回転清掃体を備え、前記回転清掃体で、前記エアーフイルターに付着した塵埃を除去する空気調和機。
【手続補正２】
【補正対象書類名】明細書
【補正対象項目名】０００５
【補正方法】変更
【補正の内容】
【０００５】
前記従来の課題を解決するために、本発明の回転清掃体は、略棒状の回転部材と、前記回転部材の外周に設けられた清掃部材とを備え、該清掃部材を、基材と、該基材に植毛された複数の繊維束からなるカットパイルで構成し、前記基材の前記繊維束間を連続して露出させると共に、少なくとも前記カットパイルに撥水加工を施したもので、カットパイルに撥水加工を施しているので、カットパイルが汚れ難く、また、万一カットパイルが汚れても、それを水洗いした時に、撥水加工により水切り性が良いので、回転清掃体の水洗い、メンテナンスが容易になると共に、乾燥時間が短縮されるので、使用勝手の良い回転清掃体を提供することが出来る。
【手続補正３】
【補正対象書類名】明細書
【補正対象項目名】００１０
【補正方法】変更
【補正の内容】
【００１０】
第１の発明は、略棒状の回転部材と、前記回転部材の外周に設けられた清掃部材とを備え、該清掃部材を、基材と、該基材に植毛された複数の繊維束からなるカットパイルで構成し、前記基材の前記繊維束間を連続して露出させると共に、少なくとも前記カットパイルに撥水加工を施したもので、カットパイルに撥水加工を施しているので、カットパイルが汚れ難く、また、万一カットパイルが汚れても、それを水洗いした時に、撥水加工により水切り性が良いので、回転清掃体の水洗い、メンテナンスが容易になると共に、乾燥時間が短縮されるので、使用勝手の良い回転清掃体を提供することが出来る。また、回転清掃体を水洗いしたときに、基材の繊維束間が連続して露出した部分が水路を形成し、隣り合う繊維束間に水が溜まることが無く、容易に水が流れ出るので、水切り性が向上し、乾燥時間が一層短縮される。
【手続補正４】
【補正対象書類名】明細書
【補正対象項目名】００１３
【補正方法】変更
【補正の内容】
【００１３】
第４の発明は、第３の発明の回転清掃体を、基材の繊維束間の露出方向とカットパイル毛の傾斜方向とを平行にしたもので、カットパイル毛の傾斜方向と露出する表面の露出方向が平行になっているので、水きり性が一層向上するものである。
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
縦長矩形状に形成された外枠と、
前記外枠の前面一側に軸支されて開閉自在に設けられた本体枠と、
前記本体枠の背面に着脱可能に取り付けられ、前記本体枠とで収容空間を形成するカバー部材と、
前記収容空間に収容され、主として遊技領域が形成される遊技板部を有する遊技盤と、
前記遊技領域に向けて遊技球を打ち込む発射装置と、
前記発射装置による遊技球の打ち込みを指示する操作手段と、
前記遊技領域に設けられ、遊技球が入球可能な始動口と、
前記始動口の近傍に設けられ、開放制御されることにより前記始動口への遊技球の入球を促進する可動部材と、
前記遊技板部の背面側に設けられ、前記可動部材を開閉する可動部材駆動手段と、
前記遊技領域に設けられ、遊技球を受け入れ困難な閉状態と当該閉状態よりも遊技球を受け入れ容易な開状態とに変化可能な特別入賞口と、
前記遊技板部の背面側に設けられ、前記特別入賞口を開閉する特別入賞口駆動手段と、
前記遊技盤の背面側に設けられ、装飾図柄の変動表示を含む演出表示が行われる演出表示装置と、
前記始動口への遊技球の入球があったか否かの判断を行う始動判断手段、
前記始動判断手段により遊技球の入球が判断されることに基づき、内部的な抽選を行う抽選手段、及び
前記抽選手段による抽選に当選すると、前記特別入賞口駆動手段により前記特別入賞口を開閉動作させ、特別遊技を実行する特別遊技実行手段、
を少なくとも有する主制御手段と、
前記主制御手段に配線接続され、
前記抽選手段による抽選結果に応じた演出表示を、前記演出表示装置を介して行う演出表示制御手段、
を少なくとも有する副制御手段と、
前記主制御手段を収容した状態で前記遊技盤の背面側に取り付けられる主制御ボックス、及び、前記副制御手段を収容した状態で前記遊技盤の背面側に取り付けられる副制御ボックスを少なくとも有する制御ユニットと、
前記遊技盤において前記制御ユニットよりも前面側に設けられ、空気の流れを作り出す送風手段と、
前記送風手段からの空気を冷却可能な吸放熱手段と
を備え、
前記副制御手段は、
前記送風手段を制御すると共に前記吸放熱手段を制御し、前記収容空間へ冷却された空気を送り出す送風制御手段を有する
ことを特徴とする遊技機。
【請求項２】
少なくとも前方から視認可能な役物演出空間と、
前記役物演出空間内で自在に移動可能な飛行部材とを備え、
前記送風手段は、前記役物演出空間において前記飛行部材を飛行状態とする空気の流れを作り出すことが可能であり、
前記送風制御手段は、前記送風手段を制御して前記飛行部材を遠隔コントロール可能である
請求項１に記載の遊技機。
【請求項３】
前記送風制御手段は、
前記送風手段にて前記収容空間へ向かう空気の流れを作り出すことにより遊技機内部を冷却し、一方、前記送風手段にて前記役物演出空間へ向かう空気の流れを作り出すことにより前記飛行部材を遠隔コントロールする
請求項２に記載の遊技機。
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
流水路の中途に配設した弁座と、前記弁座を止水及び開放する弁体と、よりなる水栓において、
前記弁座は、流水弁孔と、前記流水弁孔の流出側周縁に突出形成した弁座突縁と、より構成し、
前記弁体は、前記弁座突縁に圧接自在とした弾性素材の圧接止水部と、前記圧接止水部より突出して前記流水弁孔の内周面に摺接自在とした摺接止水部と、より構成し、
しかも、止水状態においては、前記弁座突縁が前記弁体の前記圧接止水部に陥没すると共に、前記弁体の前記摺接止水部が前記弁座の前記流水弁孔の内周面に摺接してそれぞれ止水を行うべく構成し、開放操作時においては、前記弁体の前記圧接止水部が前記摺接止水部より先に止水状態が解除され、かつ、前記圧接止水部と前記弁座突縁との間隙面積を、前記圧接止水部の陥没した部分が復元されたとしても、前記摺接止水部と前記流水弁孔の内周面との間隙面積よりも広くなるよう構成されており、
前記開放操作によって、非陥没状態に復元した前記弁体の前記圧接止水部の圧接面が前記弁座突縁の頂部から離反した後に、前記摺接止水部の止水解除が行われて吐水が開始すべく構成したことを特徴とする水栓。
【請求項２】
前記摺接止水部は、先端に向って先細りのテーパー形状としたことを特徴とする請求項１に記載の水栓。
【請求項３】
請求項１または請求項２に記載の水栓は、前記弁座の下流側で２つに分岐し、それぞれの先端に小径の吐水孔を備え、前記吐水孔から上方に吐水すべく構成した洗眼水栓であることを特徴とする水栓。
【手続補正２】
【補正対象書類名】明細書
【補正対象項目名】００１０
【補正方法】変更
【補正の内容】
【００１０】
上記目的を達成するため、請求項１記載の発明は、流水路の中途に配設した弁座と、前記弁座の流出側で開閉作動する弁体と、よりなる水栓において、前記弁座は、流水弁孔と、前記流水弁孔の流出側周縁に突出形成した弁座突縁と、より構成し、前記弁体は、前記弁座突縁に圧接自在とした弾性素材の圧接止水部と、前記圧接止水部より突出して前記流水弁孔の内周面に摺接自在とした摺接止水部と、より構成し、しかも、止水状態においては、前記弁座突縁が前記弁体の前記圧接止水部に陥没すると共に、前記弁体の前記摺接止水部が前記弁座の前記流水弁孔の内周面に摺接してそれぞれ止水作動を行うべく構成し、開放操作時においては、前記弁体の前記圧接止水部が前記摺接止水部より先に止水状態が解除され、かつ、前記圧接止水部と前記弁座突縁との間隙面積を、前記圧接止水部の陥没した部分が復元されたとしても、前記摺接止水部と前記流水弁孔の内周面との間隙面積よりも広くなるよう構成されており、前記開放操作によって、非陥没状態に復元した前記弁体の前記圧接止水部の圧接面が前記弁座突縁の頂部から離反した後に、前記摺接止水部の止水解除が行われて吐水が開始すべく構成したことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２記載の発明は、請求項１に記載の発明において、前記摺接止水部は、先端に向って先細りのテーパー形状としたことを特徴とする。
【手続補正５】
【補正対象書類名】明細書
【補正対象項目名】００１３
【補正方法】変更
【補正の内容】
【００１３】
請求項３記載の発明は、請求項１又は請求項２に記載の水栓は、下流側で２つに分岐し、それぞれの先端に小径の吐水孔を備え、前記吐水孔から上方に吐水すべく構成した洗眼水栓であることを特徴とする。
【手続補正６】
【補正対象書類名】明細書
【補正対象項目名】００１５
【補正方法】変更
【補正の内容】
【００１５】
また、開放操作によって非陥没状態に復元した弁体の圧接止水部の圧接面が弁座突縁の頂部から離反した後に、摺接止水部の止水解除が行われて吐水が開始すべく構成したので、摺接止水部と流水弁孔の内周面との間が止水解除され吐水が開始された状態では、圧接止水部と弁座突縁との間隙は摺接止水部と流水弁孔の内周面との間隙よりも確実に広くなり、当初の水勢を確実に維持し、再度の開放操作を不要とすることができる。
【手続補正７】
【補正対象書類名】明細書
【補正対象項目名】００１６
【補正方法】変更
【補正の内容】
【００１６】
請求項２に記載の発明によれば、摺接止水部は、先端に向って先細りのテーパー形状としたので、流水弁孔の内周面における内径バラツキや、摺接吐水部の取付誤差を吸収することができ、摺接吐水部と流水弁孔との間隙を通過する水の流量を確実に調整することができる。 
【手続補正８】
【補正対象書類名】明細書
【補正対象項目名】００１７
【補正方法】変更
【補正の内容】
【００１７】
請求項３に記載の発明によれば、請求項１又は請求項２に記載の水栓は、下流側で２つに分岐し、それぞれの先端に小径の吐水孔を備え、吐水孔から上方に吐水すべく構成した洗眼水栓であるので、開放操作時に、圧接止水部と弁座突縁との間が止水解除されてから摺接止水部と流水弁孔の内周面との間が止水解除されるまでの間に、圧接止水部の陥没した部分が復元されることになり、摺接止水部と流水弁孔の内周面との間が止水解除された後に、圧接止水部と弁座突縁との間の幅員が狭くなることがなく、当初の水勢を確実に維持し、再度の開放操作を不要とすることができる洗眼水栓を提供することができる。
【手続補正書】
【提出日】平成22年3月29日(2010.3.29)
【手続補正１】
【補正対象書類名】明細書
【補正対象項目名】００３９
【補正方法】変更
【補正の内容】
【００３９】
さらに、ＪＩＳ Ｓ １１０２（住宅用普通ベッド）の耐久性試験における０、２００、１００００、８００００回ごとに記録した荷重たわみ線図からたわみの増加量Ｄ１、Ｄ２を求めた。結果を表３に示す。
なお、評価基準は、たわみの増加量が下記の条件を満たすことである。
Ｄ１≦４５ｍｍ、Ｄ２≧５ｍｍ
Ｄ１＝δ３５０−δ１５０（ｍｍ）Ｄ２＝δ１０００−δ８００（ｍｍ）
δ１５０：１５０Ｎ荷重時のたわみ量（ｍｍ）
δ３５０：３５０Ｎ荷重時のたわみ量（ｍｍ）
δ８００：８００Ｎ荷重時のたわみ量（ｍｍ）
δ１０００：１０００Ｎ荷重時のたわみ量（ｍｍ）
【手続補正２】
【補正対象書類名】明細書
【補正対象項目名】００４１
【補正方法】変更
【補正の内容】
【００４１】
上記結果から、各領域のたわみ増加量は評価基準を満たすことが判る。各領域のＤ１≦４５ｍｍであることから、荷重の大きさが変化しても、たわみ量の変化は小さく抑えられるため、安定して身体を保持することが可能であり、また、各領域のＤ２≧５ｍｍであることから、大きな荷重がかかっても底ヅキ感がないことが判る。
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
電力供給システムであって、
電磁波を伝搬する電磁波伝搬装置と、
負荷に電力を供給する電力供給装置とを備え、
前記電力供給装置は、
前記電磁波伝搬装置の表面に近接して配置される基板と、
前記基板においてマトリックス状に配列され、前記電磁波伝搬装置の表面に対して実質的に同じ高さの位置に配置されて、前記電磁波伝搬装置により伝搬される電磁波を受信する複数の電極と、
隣り合う２つの電極の間の電圧を整流する複数の整流回路と、
複数の整流回路の出力を結合する結合部と、
を有することを特徴とする電力供給システム。
【請求項２】
１つの電極は、異なる２以上の整流回路に接続されることを特徴とする請求項１に記載の電力供給システム。
【請求項３】
複数の電極のそれぞれは、同じ大きさの多角形に形成されていることを特徴とする請求項１または２に記載の電力供給システム。
【請求項４】
電磁波伝搬装置は、複数の開口を有する第１導体部と、第１導体部に略平行な第２導体部と、第１導体部と第２導体部の間の誘電層とを有し、
電極の中心同士の間隔は、第１導体部の開口の中心同士の間隔よりも大きく設定されていることを特徴とする請求項１から３のいずれかに記載の電力供給システム。
【請求項５】
負荷に電力を供給する電力供給装置であって、
電磁波を受信する複数の電極と、
隣り合う２つの電極の間の電圧を整流する複数の整流回路と、
マトリックス状に配列された複数の電極を下面に支持し、複数の整流回路を上面に支持して、電極と整流回路とを電気的に接続する基板と、
複数の整流回路の出力を結合する結合部と、
を備えることを特徴とする電力供給装置。
【請求項６】
整流回路の数は、電極の数よりも多いことを特徴とする請求項５に記載の電力供給装置。
【請求項７】
複数の電極のそれぞれは、同じ大きさの多角形に形成されていることを特徴とする請求項５または６に記載の電力供給装置。
【請求項８】
結合部は、複数の整流回路の出力を並列接続または直列接続することを特徴とする請求項５から７のいずれかに記載の電力供給装置。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
メモリを有するバッテリーパックを充電する充電装置であって、
前記バッテリーパックへ供給される充電電流を測定する充電電流測定手段と、
前記バッテリーパックへ印加される充電電圧を測定する充電電圧測定手段と、
充電電流と、充電電圧と、前記バッテリーパックの充電状態を示す充電状態データとを対応させたデータテーブルを有する充電状態データ検出手段とを有し、
前記充電状態データ検出手段は、前記充電電流測定手段によって測定された充電電流、前記充電電圧測定手段によって測定された充電電圧及び前記データテーブルに基づいて前記充電状態データを検出することを特徴とする充電装置。
【請求項２】
前記メモリには、充電電圧、充電電流、満充電容量比率及び充電容量を含む充電特性データが記憶され、
前記データテーブルを有していない場合に、前記充電状態データ検出手段は、前記充電特性データに基づいて前記データテーブルを作成することを特徴とする請求項１に記載の充電装置。
【請求項３】
前記バッテリーパックは、温度測定素子を有し、
前記充電状態データ検出手段は、前記温度測定素子を用いて測定される温度に基づいて前記充電状態データを検出するための前記データテーブルを選択することを特徴とする請求項１または２に記載の充電装置。
【請求項４】
前記メモリには、前記バッテリーパックの識別データが記憶され、
前記充電状態データ検出手段は、前記識別データに対応する前記データテーブルに基づいて前記充電状態データを検出することを特徴とする請求項１から３のいずれか１項に記載の充電装置。
【請求項５】
前記充電状態データ検出手段によって検出された前記充電状態データを前記メモリに書き込む書き込み手段を有することを特徴とする請求項１から４のいずれか１項に記載の充電装置。
【請求項６】
メモリを有するバッテリーパックから電圧が供給される電子機器であって、
前記バッテリーパックから供給される出力電圧を測定する出力電圧測定手段と、
出力電圧と、前記バッテリーパックの充電状態を示す充電状態データとを対応させたデータテーブルを有する充電状態データ検出手段とを有し、
前記充電状態データ検出手段は、前記出力電圧測定手段によって測定された出力電圧及び前記データテーブルに基づいて前記充電状態データを検出することを特徴とする電子機器。
【請求項７】
前記メモリには、出力電圧、放電負荷、満充電容量比率及び残容量を含む放電特性データが記憶され、
前記データテーブルを有していない場合に、前記充電状態データ検出手段は、前記放電特性データに基づいて前記データテーブルを作成することを特徴とする請求項６に記載の電子機器。
【請求項８】
前記バッテリーパックは、温度測定素子を有し、
前記充電状態データ検出手段は、前記温度測定素子を用いて測定される温度に基づいて前記充電状態データを検出するための前記データテーブルを選択することを特徴とする請求項６または７に記載の電子機器。
【請求項９】
前記メモリには、前記バッテリーパックの識別データが記憶され、
前記充電状態データ検出手段は、前記識別データに対応する前記データテーブルに基づいて前記充電状態データを検出することを特徴とする請求項６から８のいずれか１項に記載の電子機器。
【請求項１０】
前記充電状態データ検出手段によって検出された前記充電状態データを前記メモリに書き込む書き込み手段を有することを特徴とする請求項６から９のいずれか１項に記載の電子機器。
【請求項１１】
前記充電状態データ検出手段によって検出された前記充電状態データが、前記メモリに記憶されている前記充電状態データと異なる場合、前記書き込み手段は、前記メモリに記憶されている前記充電状態データを前記充電状態データ決定手段によって検出された前記充電状態データに更新することを特徴とする請求項１０に記載の電子機器。
【請求項１２】
前記充電状態データ検出手段は、前記充電状態データに基づいて、前記バッテリーパックの残容量を算出することを特徴とする請求項６から１１のいずれか１項に記載の電子機器。
【手続補正２】
【補正対象書類名】明細書
【補正対象項目名】発明の名称
【補正方法】変更
【補正の内容】
【発明の名称】充電装置及び電子機器
【手続補正３】
【補正対象書類名】明細書
【補正対象項目名】０００１
【補正方法】変更
【補正の内容】
【０００１】
本発明は、バッテリーパックを充電する充電装置及びバッテリーパックを電源とする電子機器に関する。
【手続補正４】
【補正対象書類名】明細書
【補正対象項目名】０００６
【補正方法】変更
【補正の内容】
【０００６】
本発明は、バッテリーパックの充電状態を精度よく検出できるようにすることを目的とする。
【手続補正５】
【補正対象書類名】明細書
【補正対象項目名】０００７
【補正方法】変更
【補正の内容】
【０００７】
本発明に係る充電装置は、メモリを有するバッテリーパックを充電する充電装置であって、前記バッテリーパックへ供給される充電電流を測定する充電電流測定手段と、前記バッテリーパックへ印加される充電電圧を測定する充電電圧測定手段と、充電電流と、充電電圧と、前記バッテリーパックの充電状態を示す充電状態データとを対応させたデータテーブルを有する充電状態データ検出手段とを有し、前記充電状態データ検出手段は、前記充電電流測定手段によって測定された充電電流、前記充電電圧測定手段によって測定された充電電圧及び前記データテーブルに基づいて前記充電状態データを検出することを特徴とする。
【手続補正６】
【補正対象書類名】明細書
【補正対象項目名】０００８
【補正方法】変更
【補正の内容】
【０００８】
本発明に係る電子機器は、メモリを有するバッテリーパックから電圧が供給される電子機器であって、前記バッテリーパックから供給される出力電圧を測定する出力電圧測定手段と、出力電圧と、前記バッテリーパックの充電状態を示す充電状態データとを対応させたデータテーブルを有する充電状態データ検出手段とを有し、前記充電状態データ検出手段は、前記出力電圧測定手段によって測定された出力電圧及び前記データテーブルに基づいて前記充電状態データを検出することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明によれば、バッテリーパックの充電状態を精度よく検出することができる。
【手続補正１０】
【補正対象書類名】明細書
【補正対象項目名】００１２
【補正方法】削除
【補正の内容】
【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
変動開始条件の成立により複数の図柄列が変動表示される図柄表示手段と、
遊技領域を流下する遊技球を受け入れうる第１受入口と、
前記第１受入口への遊技球の受け入れに基づいて第１始動情報を抽出しうる第１始動情報抽出手段と、
前記第１始動情報抽出手段によって抽出された第１始動情報を第１の上限値まで記憶する第１始動情報記憶手段と、
前記変動条件が成立したときに、前記第１始動情報記憶手段によって記憶される第１始動情報についての当落を、記憶された順に一つずつ判定する当落判定手段と、
前記複数の図柄列を変動させて、当該複数の図柄列が停止したときの停止図柄の組み合わせによって前記当落判定手段による判定結果が表示されるように制御する図柄表示制御手段と、
前記停止図柄が当たりを示す組み合わせとなったときに、遊技球の入賞が許容されうる可変入賞口と、
少なくとも前記可変入賞口への遊技球の入賞に応じて所定量の賞球を遊技者に付与する賞球付与手段と、
前記停止図柄が当たりを示す組み合わせで表示されたとき、多量の遊技球を賞として遊技者に付与すべく前記可変入賞口への遊技球の入賞が容易化される大賞当たり遊技を実行しうる当たり遊技実行手段と、
前記当たりを示す組み合わせのうち、特定の組み合わせが表示されたときは前記当落判定手段によって当たりと判定される確率が相対的に高い特別遊技状態に制御すると共に、前記特定の組み合わせ以外の組み合わせで表示されたときは前記当落判定手段によって当たりと判定される確率が相対的に低い通常遊技状態に制御しうる遊技状態制御手段と、
を備える遊技機であって、さらに、
前記第１受入口の上方に配置され、前記遊技領域を流下する遊技球を受け入れうる第２受入口と、
前記第２受入口への遊技球の受け入れに基づいて第２始動情報を抽出しうる第２始動情報抽出手段と、
前記第２始動情報抽出手段によって抽出された第２始動情報を第２の上限値まで記憶する第２始動情報記憶手段と、
を備えると共に、
前記第１受入口は、前記特別遊技状態に制御されているときは当該第１受入口への遊技球の受け入れを促進させうることによって前記第２受入口よりも相対的に遊技球の受け入れを容易にすると共に、前記通常遊技状態に制御されているときは前記第２受入口よりも遊技球の受け入れを困難にしうる可動部材を有しており、
前記当落判定手段は、
前記変動開始条件が成立したときに前記第２始動情報についての当落をも判定すると共に、
前記第１始動情報が記憶されている限りにおいては、当該第１始動情報が前記第２始動情報よりも先に記憶されたか否かにかかわらず、常に当該第１始動情報についての当落を判定するものであり、
前記第１始動情報についての当落の判定結果が当たりであるときは、前記当たりを示す組み合わせが前記特定の組み合わせで表示されたか否かにかかわらず前記大賞当たり遊技が実行される一方、
前記第２始動情報についての当落の判定結果が当たりであるときは、
前記停止図柄が当たりを示す組み合わせであったとしても、当該当たりを示す組み合わせが前記特定の組み合わせ以外の組み合わせであるときは、前記当落判定手段による当落の判定結果が当たりであるにもかかわらず、遊技球が辛うじて入賞しうる態様で前記可変入賞口が作動する小賞当たり遊技が実行され且つ当該小賞当たり遊技を契機として前記通常遊技状態に制御されうると共に、
当該当たりを示す組み合わせが前記特定の組み合わせであるときは、前記大賞当たり遊技が実行され且つ当該大賞当たり遊技を契機として前記特別遊技状態に制御され、
前記第１始動情報についての当落の判定結果がハズレであって且つ当該ハズレを示す当落の判定結果が前記表示手段に表示されるに際し、
遊技状態が前記特別遊技状態に制御されている場合には、
前記第１始動情報記憶手段に記憶される前記第１始動情報の数が当該変動にかかる第１始動情報のみであるときは、前記複数の図柄列の変動表示が所定時間にわたって行われる通常変動が表示されうると共に、
前記第１始動情報記憶手段に記憶されている前記第１始動情報の数が、少なくとも当該変動にかかる第１始動情報を含めて前記第１の上限値であるときは、前記複数の図柄列の変動表示が前記所定時間よりも短い時間にわたって行われる短縮変動が表示されうる一方、
遊技状態が前記通常遊技状態に制御されている場合には、
前記第１始動情報記憶手段に記憶される前記第１始動情報の数にかかわらず一定の時間で前記複数の図柄列の変動表示が行われうる
ことを特徴とする遊技機。
【請求項２】
前記当落判定手段は、
前記第１始動情報についての当落の判定の結果が当たりであるときは、前記大賞当たり遊技を契機として前記特別遊技状態に制御される特別大賞当たり、および、前記大賞当たり遊技を契機として前記特別遊技状態が終了しうる通常大賞当たり、のいずれの当たりであるかをさらに判定する一方、
前記第２始動情報についての当落の判定の結果が当たりであるときは、前記特別大賞当たり、および、前記小賞当たり遊技を契機として前記通常遊技状態に制御されうる小賞当たり、のいずれの当たりであるかをさらに判定する
請求項１に記載の遊技機。
【請求項３】
前記当落判定手段によって前記小賞当たりに当選したと判定されたとき、
前記図柄表示制御手段は、
前記当落判定手段による当落の判定の結果がハズレであると判定されたときに表示される態様と極似する態様が前記図柄表示手段に表示されるように制御する
請求項２に記載の遊技機。
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
遊技球が発射される遊技盤と、
前記遊技盤上に設けられ、遊技球が入賞する大入賞口を有するとともに、前記大入賞口
に遊技球が入賞できない閉状態と、前記大入賞口に遊技球が入賞し易い開状態との間で開
閉変動可能な特別入賞装置と、
前記遊技盤上に設けられ、前記遊技球の入賞に基づいて、当たりとなった場合に前記特
別入賞装置の開閉変動を繰り返す特別入賞制御状態を発生させる第１特別抽選の契機を付与する第１始動入賞口、および当たりとなった場合に前記特別入賞装置の開閉変動を繰り返す特別入賞制御状態を発生させる第２特別抽選の契機を付与する第２始動入賞口と、
前記第１始動入賞口に設けられ、開状態と閉状態との間で変動し、開状態において前記第１始動入賞口への遊技球の入賞を容易とする普通入賞装置と、
を備えた遊技機において、
前記特別入賞制御状態が終了した際に、通常の状態よりも前記第１特別抽選および前記第２特別抽選の結果が当たりとなる確率を高くした第１有利遊技付与状態を発生させるとともに、前記通常の状態から発生した前記特別入賞制御状態を１回目の前記特別入賞制御状態の発生とし、以降、前記第１有利遊技付与状態を発生させる前記特別入賞制御状態の発生回数が予め定められた上限回数となることに基づいて、前記特別入賞制御状態の終了後に前記第１有利遊技付与状態を発生させることなく前記通常の状態とする第１有利遊技付与手段と、
前記通常の状態より前記普通入賞装置が開状態となる機会を増やした第２有利遊技付与状態を発生させる第２有利遊技付与手段と、
前記特別入賞装置における開閉変動を、当該開閉変動の繰り返し回数および開閉変動中の開状態となる期間を定めた第１条件に基づき制御する第１特別入賞制御状態と、前記特別入賞装置における開閉変動を、当該開閉変動の前記繰り返し回数および期間のうちの少なくとも期間を前記第１条件よりも減少させる第２条件に基づき制御する第２特別入賞制御状態とを発生可能とする特別入賞制御決定手段と、
を設け、
前記第２有利遊技付与手段は、
前記第１特別抽選の結果、前記第１有利遊技付与状態を発生させる当たりとなる場合に前記第２有利遊技付与状態を発生させ、
前記第２特別抽選の結果、予め定められた種類の当たりとなる場合に前記第１有利遊技付与状態だけとして前記第２有利遊技付与状態を発生させない状態とするが、前記予め定められた種類の当たりではない当たりの場合に前記第２有利遊技付与状態を発生させ、
前記第２特別抽選は、当たりとなった場合に、前記第１特別入賞制御状態よりも前記第２特別入賞制御状態とする振分確率を高くされていることを特徴とする遊技機。
【請求項２】
前記第２特別抽選は、通常の状態で当たりとなった場合よりも、前記第１有利遊技付与状態で当たりとなった場合の方が、前記予め定められた種類の当たりとする振分確率を高くされていることを特徴とする請求項１に記載の遊技機
【請求項３】
前記第２特別抽選は、通常の状態で当たりとなった場合よりも、前記第１有利遊技付与状態で当たりとなった場合の方が、前記第２特別入賞制御状態とする振分確率を高くされていることを特徴とする請求項１又は２に記載の遊技機
【請求項４】
前記第２有利遊技付与手段は、
前記第１有利遊技付与状態を発生させる前記特別入賞制御状態の発生回数が予め設定された上限回数となることに基づいて、前記特別入賞制御状態の終了後に前記第１有利遊技付与状態を発生させることなく前記通常の状態とする際に、
前記第１特別抽選及び前記第２特別抽選を合わせて所定回数抽選をし、その抽選に基づくゲームの実行をするまで前記第２有利遊技付与状態を発生させ、前記第１有利遊技付与状態と並行させない状態とすることを特徴とする請求項１〜３のいずれかに記載の遊技機。
【請求項５】
前記予め定められた種類の当たりは、
前記特別入賞装置における開閉変動の繰り返し回数および開閉変動中の開状態となる期間の状態の減少を最大にして制御する特別入賞制御状態にさせる最小条件の当たりとすることを特徴とする請求項１〜４のいずれかに記載の遊技機。
【請求項６】
前記特別入賞制御決定手段は、
前記最小条件に係る当たりであっても、前記最小条件に基づく前記第１特別入賞制御状態を発生可能とすることにより、当該第１特別入賞制御状態の終了後に、前記第１有利遊技付与状態および前記第２有利遊技付与状態を発生させることを特徴とする請求項１〜５のいずれかに記載の遊技機。
【請求項７】
前記第１始動入賞口により前記第１特別抽選の契機が付与され、前記第１有利遊技付与状態を発生させる当たりとなる場合に前記第１特別入賞制御状態を発生させることを特徴とする請求項１〜６のいずれかに記載の遊技機。
【請求項８】
前記第１条件は、
前記特別入賞装置における開閉変動の繰り返し回数および開閉変動中の開状態となる期間をいずれも最大とする最大条件、または前記最大条件より前記繰り返し回数を制限する制限条件のいずれかとしたことを特徴とする請求項１〜７のいずれかに記載の遊技機。
【手続補正２】
【補正対象書類名】明細書
【補正対象項目名】発明の名称
【補正方法】変更
【補正の内容】
【発明の名称】遊技機